(57)【要約】【課題】収納すべき中身の新鮮さや豪華さを演出することができて、しかも必要な剛性を確保することのできる包装用容器を、簡単な構成によって提供すること。【解決手段】合成樹脂シートを部分的に凹ませるか突出させることにより、容器本体１０の側壁１１に、互いに独立したポッチ３０を多数形成して、これら各ポッチ３０により光を乱反射させ得るようにしたこと。【選択図】図１
2008254755.tif 000002
【特許請求の範囲】
【請求項１】
収納部を有する容器本体と、これに嵌合または載置される蓋体とを、合成樹脂シートの真空または圧空成形によって形成するようにした包装用容器であって、
前記合成樹脂シートを部分的に凹ませるか突出させることにより、前記容器本体の側壁に、互いに独立したポッチを多数形成して、これら各ポッチにより光を乱反射させ得るようにしたことを特徴とする包装用容器。
【請求項２】
前記各ポッチの配置を、前記容器本体の上下方向についてジグザグ状となるようにしたことを特徴とする請求項１に記載の包装用容器。
【請求項３】
前記側壁の下端に位置する前記ポッチについては、前記容器本体の底壁にまたがるものとしたことを特徴とする請求項１または請求項２に記載の包装用容器。
【請求項４】
前記容器本体の側壁を外側に傾斜するものとするとともに、これに形成した前記各ポッチの底面の上下方向の角度を、前記側壁の傾斜角度より鉛直方向に近づけたことを特徴とする請求項１〜請求項３のいずれかに記載の包装用容器。
【請求項５】
前記各ポッチを縦長にしたことを特徴とする請求項１〜請求項４のいずれかに記載の包装用容器。
【発明の詳細な説明】
【技術分野】
【０００１】
本発明は、容器本体とこれに嵌合または載置される蓋体とからなる包装用容器に関し、特に、容器本体の側壁に多数のポッチを設けた包装用容器に関するものである。
【背景技術】
【０００２】
容器本体とこれに嵌合または載置される蓋体とからなる包装用容器は、中身を完全に覆うことができて、しかも上下に多段積みできることから、スーパーやコンビニエンスストア等の各種店舗での包装資材として重宝されているものである。しかも、容器本体も、蓋体も、合成樹脂シートを真空または圧空成形（シート成形）することにより安価に提供できることから、所謂使い捨て容器として、消費者にも重宝されているものである。
【０００３】
このような包装用容器の容器本体も蓋体も、透明な合成樹脂シートによって成形して、消費者に中身をよく吟味してもらえるようにしているが、材料の合成樹脂シートは薄いものを使用しているから、弱くて安っぽく見えることは否めない。
【０００４】
実際、この種の包装用容器の剛性を高めるために、例えば特許文献１や特許文献２に示されているような種々な工夫が凝らされている。
【特許文献１】特開２００６−３６３３２号公報、代表図、段落００１８
【特許文献２】特開２００５−１７８８１５号公報、代表図、段落００１８
【発明の開示】
【発明が解決しようとする課題】
【０００５】
特許文献１には、「樹脂シート製鶏卵包装用容器」が示されており、図８にも示すように、「蓋体２における周壁２２のうち、この小凹凸面２１ｂに連なる側の、即ち上側の周壁２２ｂを、上下幅方向において直線状で横幅方向において凹凸する状態で多数の縦リブ面に形成してあ」（特許文献１の段落００１８）るものである。
【０００６】
また、特許文献２には、「包装用容器」が示されており、図９にも示すように、「容器本体１の各耳部３には、それぞれ５本の線条補強溝３１が、容器本体１の中心からみて同心円を描くように設けられている。こうした線条補強溝３１の存在により、耳部３の強度が向上して適度な「しなり」が与えられるので、開蓋操作が容易になるのである」（特許文献２の段落００１８）ものである。
【０００７】
これらの各特許文献中の記載からすれば、合成樹脂シートによって成形した包装用容器の「剛性上の弱さ」はある程度解消されると考えられるが、安っぽいイメージは依然解消されていない。包装用容器の安っぽいイメージは、中身製品の「安っぽさ」にも通じ兼ねないものであり、この種の包装用容器を製造する者としては、何とかカイゼンしたいものである。
【０００８】
例えば、この種の包装用容器が「サラダ」あるいは「カットフルーツ」を収納するものの場合、「水滴」があると、中身の新鮮さや瑞々しさを際立たせることができそうである。また、合成樹脂シート製の容器に「ガラス容器」のような雰囲気が出せれば、中身の豪華さも演出できそうである。
【０００９】
そこで、本発明者等は、「水滴」のイメージ、あるいは「ガラス容器」のような雰囲気を、この種の包装用容器に必要な剛性を確保しながら、その形の上で如何に表現するか、について種々検討を重ねてきた結果、本発明を完成したのである。
【００１０】
すなわち、本発明の目的とするところは、収納すべき中身の新鮮さや豪華さを演出することができて、しかも必要な剛性を確保することのできる包装用容器を、簡単な構成によって提供することにある。
【課題を解決するための手段】
【００１１】
以上の課題を解決するために、まず、請求項１に係る発明の採った手段は、後述する最良形態の説明中で使用する符号を付して説明すると、
「収納部１３を有する容器本体１０と、これに嵌合または載置される蓋体２０とを、合成樹脂シートの真空または圧空成形によって形成するようにした包装用容器１００であって、
前記合成樹脂シートを部分的に凹ませるか突出させることにより、容器本体１０の側壁１１に、互いに独立したポッチ３０を多数形成して、これら各ポッチ３０により光を乱反射させ得るようにしたことを特徴とする包装用容器１００」
である。
【００１２】
すなわち、この請求項１に係る包装用容器は、収納部１３を有する容器本体１０と、これに嵌合または載置される蓋体２０とを有するものであり、これらの容器本体１０及び蓋体２０を、合成樹脂シートの真空または圧空成形によって形成したものである。
【００１３】
また、この包装用容器１００は、その容器本体１０の側壁１１に、図１〜図４に示すように、互いに独立したポッチ３０を多数形成したものである。これらのポッチ３０は、合成樹脂シートを部分的に凹ませるか突出させることにより形成したものであるが、後述する最良形態では、これら各ポッチ３０を、図５及び図６に示すように、合成樹脂シートを部分的に突出させて形成したものである。
【００１４】
これら各ポッチ３０は、互いに独立していて、図８に示した特許文献１中の「上下幅方向において直線状で横幅方向において凹凸する状態で形成した多数の縦リブ面」とは異なるものである。また、これら各ポッチ３０は、図４に示したような形状の他、図７の（ａ）〜（ｆ）に示すような様々なパターンのものが適用されるものであり、独立したものであるから、個々に光を乱反射させるものである。
【００１５】
換言すれば、各ポッチ３０は、平面または曲面である側壁１１から突出したり、これから凹んでいるものであり、しかも個々に独立しているから、例えば店内の照明を受けると、その光を色んな方向に反射させる。これらのポッチ３０による乱反射光によって、当該包装用容器１００は、ガラス容器のような雰囲気を醸し出すとともに、「水滴」が付着しているように見えることになる。その結果、これらのポッチ３０が、当該包装用容器１００の容器本体１０内に収納してあるサラダやカットフルーツの新鮮さや瑞々しさをより引き立たせる演出を発揮することになる。
【００１６】
また、各ポッチ３０は、平面または曲面である側壁１１から突出したり、これから凹んでいるものであるから、その部分で上からの力を、側壁１１の横方向へも分散することになる。すなわち、容器本体１０の側壁１１には、当該容器本体１０に蓋体２０を嵌合する場合、あるいは一つの包装用容器１００上に中身を入れた他の包装用容器１００を積み重ねる場合に、力が加わえられることになるが、この力は上述したように各ポッチ３０において分散される。このため、当該包装用容器１００の、特に容器本体１０の側壁１１における座屈強度が高まっているのである。
【００１７】
従って、この請求項１に係る包装用容器１００は、収納すべき中身の新鮮さや豪華さを演出することができて、しかも必要な剛性を確保することができるものとなっているのである。
【００１８】
上記課題を解決するために、請求項２に係る発明の採った手段は、上記請求項１に記載の包装用容器１００について、
「各ポッチ３０の配置を、容器本体１０の上下方向についてジグザグ状となるようにしたこと」
である。
【００１９】
すなわち、この請求項２に係る包装用容器１００においては、各ポッチ３０の配置を、図４に示すように、容器本体１０の上下方向についてジグザグ状となるようにしたものである。「ジグザグ状」とは、各ポッチ３０が上下方向に対して「列」として形成した場合であっても、その各上端が水平線に対して上下している状態を指し、図７に示すようなランダム状態をも含むものである。
【００２０】
各ポッチ３０の配置が、容器本体１０の上下方向についてジグザグ状となっていれば、上下方向から加わる前述した力が、各ポッチ３０においてジグザグに分散されることになる。つまり、これらのポッチ３０の存在によって、側壁１１に上下方向から加えられる力を水平方向にも分散することになり、結果として、容器本体１０の剛性が高められることになるのである。
【００２１】
従って、この請求項２に係る包装用容器１００では、上記請求項１のそれと同様な機能を発揮する他、各ポッチ３０による上下方向からの力の分散をより一層確実にし得て、さらに剛性の高いものとなっているのである。
【００２２】
また、請求項３に係る発明の採った手段は、上記請求項１または請求項２に記載の包装用容器１００について、
「側壁１１の下端に位置するポッチ３０については、容器本体１０の底壁１２にまたがるものとしたこと」
である。
【００２３】
すなわち、この請求項３の包装用容器１００では、側壁１１の下端に位置するポッチ３０については、図６に示すように、容器本体１０の底壁１２にまたがるものとしたものであり、これによって力の分散を底壁１２側にも行えるようにしたものである。
【００２４】
なお、この側壁１１と底壁１２とにまたがるポッチ３０は、底壁１２が底上げされたものであって当該ポッチ３０が凹む（容器本体１０の内側に突出する）場合に、底壁１２の下面と外部とを連通させる通気路を形成することになり、展示棚における冷気の流通をも許容することになる。
【００２５】
従って、この請求項３に係る包装用容器１００は、上記請求項１または請求項２のそれと同様な機能を発揮する他、より一層強度の高いものとなっているのである。
【００２６】
上記課題を解決するために、請求項４に係る発明の採った手段は、上記請求項１〜請求項３のいずれかに記載の包装用容器１００について、
「容器本体１０の側壁１１を外側に傾斜するものとするとともに、これに形成した各ポッチ３０の底面３１の上下方向の角度を、側壁１１の傾斜角度より鉛直方向に近づけたこと」
である。
【００２７】
すなわち、この請求項４の包装用容器１００は、図５に示すように、容器本体１０の側壁１１を外側に傾斜させるとともに、これに形成した各ポッチ３０の底面３１の上下方向の角度を、側壁１１の傾斜角度より鉛直方向に近づけたものである。
【００２８】
容器本体１０の側壁１１を外側に傾斜させれば、当然に収納部１３の上部が大きく広がり、例えばサラダやカットフルーツの上面を大きく広げることができ、蓋体２０を通して見た内容物が豪華に見えることになる。
【００２９】
その反面、側壁１１を外側に傾斜させた当該包装用容器１００は、これを例えば蓋体２０の嵌合時のように、上から押さえたときに、加えられた力によって座屈し易くなる。しかしながら、側壁１１に形成した各ポッチ３０では、その底面３１の上下方向の角度を、図５に示すように、側壁１１の傾斜角度より鉛直方向に近づけるようにしているから、このポッチ３０の、言わば立ち上がった状態になっている底面３１によって上からの力に耐え得るものとなっている。
【００３０】
従って、この請求項４に係る包装用容器１００は、上記請求項１〜請求項３のいずれかに係る包装用容器１００と同様な機能を発揮する他、必要な剛性を確保しながら収納物を大きく広げて見せ得るものとなっているのである。
【００３１】
そして、請求項５に係る発明の採った手段は、上記請求項１〜請求項４のいずれかに記載の包装用容器１００について、
「各ポッチ３０を縦長にしたこと」
である。
【００３２】
すなわち、この請求項５の包装用容器１００では、図４にも示すように、各ポッチ３０を縦長なものとしたものである。これにより、各ポッチ３０自身が、側壁１１に上下方向から加えられる力に対して十分耐え得るものになっているだけでなく、そのようなポッチ３０が多数存在することによって全体として側壁１１の剛性を高めているのである。
【００３３】
従って、この請求項５の包装用容器１００は、上記請求項１〜４のいずれかのそれと同様な機能を発揮する他、剛性がさらに高まったものとなっているのである。
【発明の効果】
【００３４】
以上、詳述した通り、本発明に係る包装用容器１００は、
「収納部１３を有する容器本体１０と、これに嵌合または載置される蓋体２０とを、合成樹脂シートの真空または圧空成形によって形成するようにした包装用容器１００であって、
前記合成樹脂シートを部分的に凹ませるか突出させることにより、容器本体１０の側壁１１に、互いに独立したポッチ３０を多数形成して、これら各ポッチ３０により光を乱反射させ得るようにしたこと」にその構成上の主たる特徴
があり、これにより、収納すべき中身の新鮮さや豪華さを演出することができて、しかも必要な剛性を確保することができるのである。
【発明を実施するための最良の形態】
【００３５】
次に、上記のように構成した各請求項に係る発明を、図面に示した最良の形態である包装用容器１００について説明するが、この最良形態の包装用容器１００は、上記各請求項に係る発明の全てを実質的に含むものである。
【００３６】
図１には、本発明に係る包装用容器１００の正面図が示してあるが、この包装用容器１００は、それぞれ合成樹脂シートに真空または圧空成形（シート成形）を施すことによって形成した容器本体１０及び蓋体２０とからなるものである。この最良形態の包装用容器１００は、図３にも示したように、平面視概略正方形状のものとしたものであるが、本発明は、このような正方形状のものに限らず、例えば平面視円形のものや長方形状、あるいは五角形状のものに対しても適用できることは言うまでもない。
【００３７】
また、この包装用容器１００は、その蓋体２０の上側に、他の包装用容器１００の容器本体１０が積み上げられることになるものである。この積み上げ時の安定化を図るために、図１及び図３に示したように、平面視が四角形状の容器本体１０の底部四隅に、嵌合部１５を形成しておき、これらの嵌合部１５に嵌合されるべき積み上げ突部２５を、図１及び図２に示したように、蓋体２０天板２３と立ち上がり壁２２との境界部の四隅に形成してある。
【００３８】
なお、材料の合成樹脂シートは、本来的には透明なものが使用されるが、ある程度の着色が施されたもの、あるいは所定の模様印刷が施されたものも使用可能である。
【００３９】
さて、容器本体１０であるが、この容器本体１０は、図３、図５及び図６に示したように、底壁１２と、この底壁１２の周縁から立ち上がる側壁１１と、この側壁１１の上端に形成したフランジ部１４を有しているものである。また、このフランジ部１４の内外部分に対しては、後述する蓋体２０の内嵌合部あるいは外嵌合部を嵌合するための嵌合部または係合部が形成されるものであるが、詳細は省略する。勿論、この容器本体１０は、その側壁１１上に蓋体２０が単に載置されるタイプのものも対象となる。
【００４０】
側壁１１の断面形状は、図５及び図６に示したように、上方になるに従って広く開口するように、断面端面が傾斜あるいは湾曲したものでよいことは当然として、「型抜き」ができる程度の平面状のものであってもよい。
【００４１】
この側壁１１には、図１〜図６に示したように、多数のポッチ３０が形成してある。これら各ポッチ３０は、材料である合成樹脂シートに、容器本体１０の全体形状とともにシート成形したものであり、互いに独立したものとしたものである。これら各ポッチ３０は、図５及び図６に示したように、内側、つまり容器本体１０の収納部１３側に膨出するものとして形成してもよいが、これとは反対に、側壁１１の外側に向けて膨出するものとして形成してもよいものである。
【００４２】
また、これら多数のポッチ３０の正面視形状については、互いに独立しているという条件を満たせば、図４に示したような形状のものの他、図７の（ａ）〜（ｆ）に示したような種々なものが考えられる。この場合、図４に示したように、同じ大きさのポッチ３０を並べたり、図７の（ａ）〜（ｆ）に示したように、各ポッチ３０を大小のものとしたり、複数の小さなポッチ３０を一つの組としてこの組を適宜分散させて構成したりしてもよいものである。
【００４３】
また、これら各ポッチ３０の配列としては、容器本体１０の全くランダムに形成する他、図４にも示したように、縦方向に列となるように形成して実施してもよい。縦の列としてポッチ３０を配列する場合においては、図４にも示したように、隣り合う列の各ポッチ３０が上下にジグザグとなるようにすると、側壁１１の座屈強度を高めることができる。
【００４４】
さらに、各ポッチ３０の形状を、図４に示したように、それぞれ縦長のものとすることは、これらのポッチ３０を複数並べたときに、容器本体１０の縦方向に対する座屈強度をさらに高めることができて有利である。また、縦長のポッチ３０の複数を、図４にも示したように、縦に並べるようにすれば、容器本体１０の縦方向に対する座屈強度をより一層高めることができることになる。
【００４５】
そして、この包装用容器１００は、図５に示したように、容器本体１０の側壁１１を外側に傾斜させるとともに、これに形成した各ポッチ３０の底面３１の上下方向の角度を、側壁１１の傾斜角度より鉛直方向に近づけるようにしてもよいものである。
【００４６】
容器本体１０の側壁１１を外側に傾斜させれば、当然に収納部１３の上部が大きく広がり、例えばサラダやカットフルーツの上面を大きく広げることができ、蓋体２０を通して見た内容物が豪華に見えることになるからである。
【００４７】
その反面、側壁１１を外側に傾斜させた当該包装用容器１００は、これを例えば蓋体２０の嵌合時のように、上から押さえたときに、加えられた力によって座屈し易くなる。しかしながら、側壁１１に形成した各ポッチ３０では、その底面３１の上下方向の角度を、図５に示したように、側壁１１の傾斜角度より鉛直方向に近づくから、このポッチ３０の、言わば立ち上がった状態になっている底面３１によって上からの力に耐え得るのである。
【００４８】
勿論、この種のシート成形品では、所謂「アンダーカット」部分ができないように設計しなければならない。何故なら、もし製品にアンダーカット部分が存在すると、そのアンダーカット部分での型抜きが困難になり、製品に歪みや歪みを形成してしまうから、これを避けたいからである。その意味で、側壁１１に形成した各ポッチ３０では、その底面３１の上下方向の角度が側壁１１の傾斜角度より鉛直方向に近づくから、アンダーカット部分を形成しなくなって、歪みや歪みのない綺麗な製品とすることができるのである。
【００４９】
以上のような何れの形状のものであっても、また、凹みか突出かに拘わらず、各ポッチ３０は合成樹脂シートを内外何れかに膨出させて形成したものであるから、光を乱反射させることになるものである。この場合、各ポッチ３０は互いに独立しているのであるから、光が当たった側壁１１に存在している数だけ、乱反射部分を形成することになる。
【００５０】
以上のような容器本体１０に嵌合または載置されるべき蓋体２０は、図１及び図２にも示すように、容器本体１０側のフランジ部１４に対向することになるフランジ部２３と、このフランジ部２３から立ち上がる立ち上がり壁２２と、この立ち上がり壁２２の上端に形成した天板２１とからなるものである。
【００５１】
本最良形態における蓋体２０については、そのフランジ部２３の全周にポッチ３０に似た多数の小突起２４を形成して、当該フランジ部２３の存在をアピールできるようにしてある。この蓋体２０側のフランジ部２３に形成した多数の小突起２４は、これらが光を乱反射させることにより、上方から、つまり蓋体２０を通して見た収納物に広がりを与えるものであり、豪華さを演出することになるものである。
【図面の簡単な説明】
【００５２】
【図１】本発明に係る包装用容器の正面図である。
【図２】同包装用容器を構成している蓋体の平面図である。
【図３】同包装用容器を構成している容器本体の平面図である。
【図４】図１の要部を拡大して示した部分正面図である。
【図５】図４中の１−１線に沿ってみた部分拡大縦断面図である。
【図６】図４中の２−２線に沿ってみた部分拡大縦断面図である。
【図７】各ポッチのパターンの異なる実施例を、（ａ）〜（ｆ）の６種類に亘って示した部分拡大正面図である。
【図８】従来の技術を示す斜視図である。
【図９】従来の他の技術を示す部分拡大断面図である。
【符号の説明】
【００５３】
１００    包装用容器
１０    容器本体
１１    側壁
１２    底壁
１３    収納部
１４    フランジ部
１５    嵌合部
２０    蓋体
２１    天板
２２    立ち上がり壁
２３    フランジ部
２４    小突起
２５    積み上げ突部
３０    ポッチ
３１    底面
【図１】
2008254755.tif 000003
【図２】
2008254755.tif 000004
【図３】
2008254755.tif 000005
【図４】
2008254755.tif 000006
【図５】
2008254755.tif 000007
【図６】
2008254755.tif 000008
【図７】
2008254755.tif 000009
【図８】
2008254755.tif 000010
【図９】
2008254755.tif 000011